(57)【要約】【課題】電力を供給される他の電子機器の状態等が分からなくても、電力を供給する電子機器から他の電子機器への電力の供給および供給の停止を行う。【解決手段】電子機器１０１は、電源部１０９と、電源部１０９から供給される電力を、電力を必要とする各部および他の電子機器に供給可能な電力分配部１０５と、電源部１０９から電力分配部１０５に供給される電源供給電力値を測定する電源供給電力測定部１０２と、電力分配部１０５から他の電子機器へ供給される外部供給電力値を測定する外部供給電力測定部１０３と、測定された電源供給電力値から外部供給電力値を差し引いた値が所定の閾値未満の場合には、電力分配部１０５に他の電子機器への電力の供給を行わせ、一方、電源供給電力値から外部供給電力値を差し引いた値が所定の閾値以上の場合には、電力分配部１０５に他の電子機器への電力の供給の停止を行わせる電力監視制御部１０６とから構成される。【選択図】      図１
2015179298.tif 000002
【特許請求の範囲】
【請求項１】
電源部と、
前記電源部から供給される電力を、電力を必要とする各部および他の電子機器に供給可能な電力分配部と、
前記電源部から前記電力分配部に供給される電力の値である電源供給電力値を測定する電源供給電力測定部と、
前記電力分配部から他の電子機器へ供給される電力の値である外部供給電力値を測定する外部供給電力測定部と、
前記電源供給電力測定部において測定された前記電源供給電力値および前記外部供給電力測定部において測定された前記外部供給電力値を取得し、前記電源供給電力値から前記外部供給電力値を差し引いた値が所定の閾値未満の場合には、前記電力分配部に前記他の電子機器への電力の供給を行わせ、一方、前記電源供給電力値から前記外部供給電力値を差し引いた値が前記所定の閾値以上の場合には、前記電力分配部に前記他の電子機器への電力の供給の停止を行わせる電力監視制御部と
から構成されたことを特徴とする電子機器。
【請求項２】
前記電力分配部から前記他の電子機器に供給される電力の上限値は、前記電源部が供給できる最大電力の値から前記閾値を差し引いた値よりも小さい値である
ことを特徴とする請求項１記載の電子機器。
【請求項３】
電源部と、
前記電源部から供給される電力を、電力を必要とする各部および他の電子機器に供給可能な電力分配部と、
前記電源部から前記電力分配部に供給される電力の値である電源供給電力値を測定する電源供給電力測定部と、
前記電力分配部から他の電子機器へ供給される電力の値である外部供給電力値を測定する外部供給電力測定部と、
それぞれ異なる電力値の範囲を示す複数の電力値範囲情報と、該複数の電力値範囲情報のそれぞれと対応する上限値とを記憶した記憶部と、
前記電源供給電力測定部において測定された前記電源供給電力値および前記外部供給電力測定部において測定された前記外部供給電力値を取得し、前記記憶部を参照して、前記電源供給電力値から前記外部供給電力値を差し引いた値を含む範囲を示す前記電力値範囲情報を特定し、当該特定された電力値範囲情報に対応して前記記憶部に記憶された前記上限値を前記電力分配部に送る電力監視制御部と
から構成され、
前記電力分配部は、前記外部供給電力値を、前記電力監視制御部から受け取った前記上限値までに制限する
ことを特徴とする電子機器。
【請求項４】
前記記憶部に記憶された前記上限値は、前記電源部が供給できる最大電力の値から、当該上限値と対応して前記記憶部に記憶された前記電力値範囲情報で示される範囲の上限値を差し引いた値よりも小さい値である
ことを特徴とする請求項３に記載の電子機器。
【請求項５】
第１の電子機器に設けられた電源部から該第１の電子機器に設けられた電力分配部に供給される電力の値である電源供給電力値を測定する電源供給電力測定ステップと、
電力を必要とする前記第１の電子機器内の各部および第２の電子機器に電力を供給可能な前記電力分配部から該第２の電子機器へ供給される電力の値である外部供給電力値を測定する外部供給電力測定ステップと、
前記電源供給電力測定ステップにおいて測定された前記電源供給電力値から前記外部供給電力測定ステップにおいて測定された前記外部供給電力値を差し引いた値が所定の閾値未満の場合には、前記電力分配部に前記第２の電子機器への電力の供給を行わせ、一方、前記電源供給電力値から前記外部供給電力値を差し引いた値が前記所定の閾値以上の場合には、前記電力分配部に前記第２の電子機器への電力の供給の停止を行わせる電力供給制御ステップと
を含むことを特徴とする電力供給方法。
【請求項６】
前記電力分配部から前記第２の電子機器に供給される電力の上限値は、前記電源部が供給できる最大電力の値から前記閾値を差し引いた値よりも小さい値である
ことを特徴とする請求項５記載の電力供給方法。
【請求項７】
第１の電子機器に設けられた電源部から該第１の電子機器に設けられた電力分配部に供給される電力の値である電源供給電力値を測定する電源供給電力測定ステップと、
電力を必要とする前記第１の電子機器内の各部および第２の電子機器に電力を供給可能な前記電力分配部から該第２の電子機器へ供給される電力の値である外部供給電力値を測定する外部供給電力測定ステップと、
前記第１の電子機器に設けられ、それぞれ異なる電力値の範囲を示す複数の電力値範囲情報と、該複数の電力値範囲情報のそれぞれと対応する上限値とを記憶した記憶部を参照し、前記電源供給電力測定ステップにおいて測定された前記電源供給電力値から前記外部供給電力測定ステップにおいて測定された前記外部供給電力値を差し引いた値を含む範囲を示す前記電力値範囲情報を特定し、当該特定された電力値範囲情報に対応して前記記憶部に記憶された前記上限値を前記電力分配部に送り、該電力分配部に、前記外部供給電力値を、受け取った前記上限値までに制限させる電力供給制御ステップと
を含むことを特徴とする電力供給方法。
【請求項８】
前記記憶部に記憶された前記上限値は、前記電源部が供給できる最大電力の値から、当該上限値と対応して前記記憶部に記憶された前記電力値範囲情報で示される範囲の上限値を差し引いた値よりも小さい値である
ことを特徴とする請求項７に記載の電力供給方法。
【請求項９】
電源部と、前記電源部から供給される電力を、電力を必要とする各部および他の電子機器に供給可能な電力分配部と、前記電源部から前記電力分配部に供給される電力の値である電源供給電力値を測定する電源供給電力測定部と、前記電力分配部から第１の電子機器へ供給される電力の値である外部供給電力値を測定する外部供給電力測定部とを含む第２の電子機器に設けられたコンピュータに、
前記電源供給電力測定部において測定された前記電源供給電力値および前記外部供給電力測定部において測定された前記外部供給電力値を取得し、前記電源供給電力値から前記外部供給電力値を差し引いた値が所定の閾値未満の場合には、前記電力分配部に前記第１の電子機器への電力の供給を行わせ、一方、前記電源供給電力値から前記外部供給電力値を差し引いた値が前記所定の閾値以上の場合には、前記電力分配部に前記第１の電子機器への電力の供給の停止を行わせる電力供給制御処理
を実行させることを特徴とする電力供給制御プログラム。
【請求項１０】
電源部と、前記電源部から供給される電力を、電力を必要とする各部および他の電子機器に供給可能な電力分配部と、前記電源部から前記電力分配部に供給される電力の値である電源供給電力値を測定する電源供給電力測定部と、前記電力分配部から第１の電子機器へ供給される電力の値である外部供給電力値を測定する外部供給電力測定部と、それぞれ異なる電力値の範囲を示す複数の電力値範囲情報と、該複数の電力値範囲情報のそれぞれと対応する上限値とを記憶した記憶部とを含む第２の電子機器に設けられたコンピュータに、
前記電源供給電力測定部において測定された前記電源供給電力値および前記外部供給電力測定部において測定された前記外部供給電力値を取得し、前記記憶部を参照して、前記電源供給電力値から前記外部供給電力値を差し引いた値を含む範囲を示す前記電力値範囲情報を特定し、当該特定された電力値範囲情報に対応して前記記憶部に記憶された前記上限値を前記電力分配部に送り、該電力分配部に、前記外部供給電力値を、受け取った前記上限値までに制限させる電力供給制御処理
を実行させることを特徴とする電力供給制御プログラム。
【発明の詳細な説明】
【技術分野】
【０００１】
本発明は、電子機器、電力供給方法および電力供給制御プログラムに関する。
【背景技術】
【０００２】
所定の条件に基づき、ある装置から他の装置への電力の供給および供給の停止を行う技術が知られている。
【０００３】
例えば、特許文献１には、無線通信端末２００およびルータ装置２０１における充電用電池の残量等の情報に基づいて、無線通信端末２００およびルータ装置２０１における残り動作時間を推定し、推定されたルータ装置２０１の残り動作時間が、推定された無線通信端末２００の残り動作時間以下になるまで、ルータ装置２０１の充電用電池から無線通信端末２００の充電用電池に電力を供給する技術が開示されている。
【０００４】
また、特許文献２には、ルータ３から通信電力線４を介して電力が供給される通信端末２の電源回路２６において過電流が検出された場合に、通信端末２が、ルータ３から通信端末２への電力の供給を停止させる技術が開示されている。
【０００５】
なお、関連技術として、特許文献３には、クレードル３に装着された充電池内蔵のモバイルルータ２が、クレードル３から供給される充電電圧により充電される技術が開示されている。
【先行技術文献】
【特許文献】
【０００６】
【特許文献１】特開２０１３−０７４７８４号公報
【特許文献２】特開２００８−２１９２７７号公報
【特許文献３】特開２０１２−０４４４７７号公報
【発明の概要】
【発明が解決しようとする課題】
【０００７】
しかしながら、特許文献１および２に記載された技術では、電力が供給される無線端末２００や通信端末２の状態等が分からないと、電力の供給および供給の停止の判断ができないという問題点がある。
【０００８】
なお、特許文献３は、単に、クレードル３が充電電圧を供給する技術を開示するに留まる。
【０００９】
本発明の目的は、上述した問題点を解決した、電子機器、電力供給方法および電力供給制御プログラムを提供することにある。
【課題を解決するための手段】
【００１０】
本発明の第１の電子機器は、
電源部と、
前記電源部から供給される電力を、電力を必要とする各部および他の電子機器に供給可能な電力分配部と、
前記電源部から前記電力分配部に供給される電力の値である電源供給電力値を測定する電源供給電力測定部と、
前記電力分配部から他の電子機器へ供給される電力の値である外部供給電力値を測定する外部供給電力測定部と、
前記電源供給電力測定部において測定された前記電源供給電力値および前記外部供給電力測定部において測定された前記外部供給電力値を取得し、前記電源供給電力値から前記外部供給電力値を差し引いた値が所定の閾値未満の場合には、前記電力分配部に前記他の電子機器への電力の供給を行わせ、一方、前記電源供給電力値から前記外部供給電力値を差し引いた値が前記所定の閾値以上の場合には、前記電力分配部に前記他の電子機器への電力の供給の停止を行わせる電力監視制御部とから構成される。
【００１１】
さらに、本発明の第２の電子機器は、
電源部と、
前記電源部から供給される電力を、電力を必要とする各部および他の電子機器に供給可能な電力分配部と、
前記電源部から前記電力分配部に供給される電力の値である電源供給電力値を測定する電源供給電力測定部と、
前記電力分配部から他の電子機器へ供給される電力の値である外部供給電力値を測定する外部供給電力測定部と、
それぞれ異なる電力値の範囲を示す複数の電力値範囲情報と、該複数の電力値範囲情報のそれぞれと対応する上限値とを記憶した記憶部と、
前記電源供給電力測定部において測定された前記電源供給電力値および前記外部供給電力測定部において測定された前記外部供給電力値を取得し、前記記憶部を参照して、前記電源供給電力値から前記外部供給電力値を差し引いた値を含む範囲を示す前記電力値範囲情報を特定し、当該特定された電力値範囲情報に対応して前記記憶部に記憶された前記上限値を前記電力分配部に送る電力監視制御部と
から構成され、
前記電力分配部は、前記外部供給電力値を、前記電力監視制御部から受け取った前記上限値までに制限する。
【００１２】
また、本発明の第１の電力供給方法は、
第１の電子機器に設けられた電源部から該第１の電子機器に設けられた電力分配部に供給される電力の値である電源供給電力値を測定する電源供給電力測定ステップと、
電力を必要とする前記第１の電子機器内の各部および第２の電子機器に電力を供給可能な前記電力分配部から該第２の電子機器へ供給される電力の値である外部供給電力値を測定する外部供給電力測定ステップと、
前記電源供給電力測定ステップにおいて測定された前記電源供給電力値から前記外部供給電力測定ステップにおいて測定された前記外部供給電力値を差し引いた値が所定の閾値未満の場合には、前記電力分配部に前記第２の電子機器への電力の供給を行わせ、一方、前記電源供給電力値から前記外部供給電力値を差し引いた値が前記所定の閾値以上の場合には、前記電力分配部に前記第２の電子機器への電力の供給の停止を行わせる電力供給制御ステップと
を含む。
【００１３】
さらに、本発明の第２の電力供給方法は、
第１の電子機器に設けられた電源部から該第１の電子機器に設けられた電力分配部に供給される電力の値である電源供給電力値を測定する電源供給電力測定ステップと、
電力を必要とする前記第１の電子機器内の各部および第２の電子機器に電力を供給可能な前記電力分配部から該第２の電子機器へ供給される電力の値である外部供給電力値を測定する外部供給電力測定ステップと、
前記第１の電子機器に設けられ、それぞれ異なる電力値の範囲を示す複数の電力値範囲情報と、該複数の電力値範囲情報のそれぞれと対応する上限値とを記憶した記憶部を参照し、前記電源供給電力測定ステップにおいて測定された前記電源供給電力値から前記外部供給電力測定ステップにおいて測定された前記外部供給電力値を差し引いた値を含む範囲を示す前記電力値範囲情報を特定し、当該特定された電力値範囲情報に対応して前記記憶部に記憶された前記上限値を前記電力分配部に送り、該電力分配部に、前記外部供給電力値を、受け取った前記上限値までに制限させる電力供給制御ステップと
を含む。
【００１４】
また、本発明の第１の電力供給制御プログラムは、
電源部と、前記電源部から供給される電力を、電力を必要とする各部および他の電子機器に供給可能な電力分配部と、前記電源部から前記電力分配部に供給される電力の値である電源供給電力値を測定する電源供給電力測定部と、前記電力分配部から第１の電子機器へ供給される電力の値である外部供給電力値を測定する外部供給電力測定部とを含む第２の電子機器に設けられたコンピュータに、
前記電源供給電力測定部において測定された前記電源供給電力値および前記外部供給電力測定部において測定された前記外部供給電力値を取得し、前記電源供給電力値から前記外部供給電力値を差し引いた値が所定の閾値未満の場合には、前記電力分配部に前記第１の電子機器への電力の供給を行わせ、一方、前記電源供給電力値から前記外部供給電力値を差し引いた値が前記所定の閾値以上の場合には、前記電力分配部に前記第１の電子機器への電力の供給の停止を行わせる電力供給制御処理
を実行させる。
【００１５】
さらに、本発明の第２の電力供給制御プログラムは、
電源部と、前記電源部から供給される電力を、電力を必要とする各部および他の電子機器に供給可能な電力分配部と、前記電源部から前記電力分配部に供給される電力の値である電源供給電力値を測定する電源供給電力測定部と、前記電力分配部から第１の電子機器へ供給される電力の値である外部供給電力値を測定する外部供給電力測定部と、それぞれ異なる電力値の範囲を示す複数の電力値範囲情報と、該複数の電力値範囲情報のそれぞれと対応する上限値とを記憶した記憶部とを含む第２の電子機器に設けられたコンピュータに、
前記電源供給電力測定部において測定された前記電源供給電力値および前記外部供給電力測定部において測定された前記外部供給電力値を取得し、前記記憶部を参照して、前記電源供給電力値から前記外部供給電力値を差し引いた値を含む範囲を示す前記電力値範囲情報を特定し、当該特定された電力値範囲情報に対応して前記記憶部に記憶された前記上限値を前記電力分配部に送り、該電力分配部に、前記外部供給電力値を、受け取った前記上限値までに制限させる電力供給制御処理
を実行させる。
【発明の効果】
【００１６】
本発明には、電力を供給される他の電子機器の状態等が分からなくても、電力を供給する電子機器から他の電子機器への電力の供給および供給の停止を行うことができるという効果がある。
【図面の簡単な説明】
【００１７】
【図１】本発明の第１の実施形態を示すブロック図である。
【図２】第１の実施形態における電力監視制御部の動作を示すフローチャート図である。
【図３】本発明の第２の実施形態を示すブロック図である。
【図４】第２の実施形態に係る記憶部における外部供給電力上限値設定テーブルを示す図である。
【図５】第２の実施形態における電力監視制御部の動作を示すフローチャートである。
【発明を実施するための形態】
【００１８】
次に、本発明の実施形態について図面を参照して詳細に説明する。
＜第１の実施形態＞
まず、本発明の第１の実施形態について説明する。
【００１９】
図１は、本発明の第１の実施形態を示すブロック図である。
【００２０】
図１を参照すると、本実施形態はモバイルルータ等の電子機器１０１から構成され、電子機器１０１は、電力分配部１０５と、電力監視制御部１０６と、充電池等の電源部１０９と、電源供給電力測定部１０２と、外部供給電力測定部１０３とから構成される。
【００２１】
電力分配部１０５は、電源部１０９から供給される電力である電源供給電力を、電子機器１０１内の、電力を必要とする各部へ供給するとともに、電力監視制御部１０６からの指示に従って、携帯端末等の他の電子機器（図示せず）に供給する。
【００２２】
以下では、電子機器１０１内の、電力を必要とする各部へ供給される電力の総和を総内部供給電力と言い、他の電子機器に供給される電力を外部供給電力と言う。
【００２３】
また、電力分配部１０５が他の電子機器に供給できる外部供給電力の値は、所定の上限電力値までに制限されている。
【００２４】
電力監視制御部１０６は、後述する所定の制御動作等を行う。
【００２５】
電源供給電力測定部１０２は、電源部１０９から供給される電力の値である電源供給電力値を測定し、制御部１０６に通知する。
【００２６】
外部供給電力測定部１０３は、上記外部供給電力の値である外部供給電力値を測定し、制御部１０６に通知する。
【００２７】
次に、本実施形態の動作について説明する。
【００２８】
図２は、電力監視制御部１０６の動作の流れを示すフローチャート図である。
【００２９】
まず、電力監視制御部１０６は、電源供給電力測定部１０２および外部供給電力測定部１０３からそれぞれ電源供給電力値および外部供給電力値を取得する（ステップＳ３０１）。
【００３０】
次に、電力監視制御部１０６は、取得した電源供給電力値から、取得した外部供給電力値を差し引き、総内部供給電力の値である総内部供給電力値を求める（ステップＳ３０２）。
【００３１】
電力監視制御部１０６は、ステップ３０２で求められた総内部供給電力値と、所定の閾値とを比較する（ステップＳ３０３）。
【００３２】
この所定の閾値は、電源部１０９が供給できる最大電力の値である最大供給電力値から上記所定の上限電力値を差し引いた値よりも小さい値である。
【００３３】
以下の説明では、一例として、電源部１０９における最大供給電力値が５Ｗ（ワット）、所定の閾値が２．５Ｗおよび所定の上限電力値が２Ｗであるものとして説明する。
【００３４】
ステップＳ３０３において、総内部供給電力値が、所定の閾値（２．５Ｗ）未満であれば（例えば、総内部供給電力値が２．０Ｗの場合）、（ステップＳ３０３においてＹＥＳ）、電力監視制御部１０６は、制御信号線１０７を介して給電指示信号を電力分配部１０５に送信し、電力分配部１０５に外部供給電力を供給させる（ステップＳ３０４）。
【００３５】
その後、直ちにまたは所定の時間経過後に、電力監視制御部１０６は、ステップＳ３０１の処理に戻る。
【００３６】
一方、ステップＳ３０３において、総内部供給電力値が、所定の閾値（２．５Ｗ）以上であれば（例えば、総内部供給電力値が３．０Ｗの場合）、（ステップＳ３０３においてＮＯ）、電力監視制御部１０６は、制御信号線１０７を介して給電停止指示信号を電力分配部１０５に送信し、電力分配部１０５に外部供給電力の供給を停止させる（ステップＳ３０５）。
【００３７】
その後、直ちにまたは所定の時間経過後に、電力監視制御部１０６は、ステップＳ３０１の処理に戻る。
【００３８】
なお、電力監視制御部１０６は、専用のハードウェアで実現されても良いし、プログラム制御で動作するマイクロプロセッサ等のコンピュータで実現されても良い。
【００３９】
以上、本実施形態には、電力を供給される他の電子機器の状態等が分からなくても、電力を供給する電子機器１０１から他の電子機器への電力の供給および供給の停止を行うことができるという効果がある。
【００４０】
その理由は、電子機器１０１内の各部に供給される総内部供給電力の値である総内部供給電力値と所定の閾値のみに基づいて、他の電子機器への電力の供給および供給の停止の判断を行うようにしたからである。
＜第２の実施形態＞
次に、本発明の第２の実施形態について説明する。
【００４１】
図３は、本発明の第２の実施形態を示すブロック図である。
【００４２】
図３を参照すると、本実施形態はモバイルルータ等の電子機器２０１から構成され、電子機器２０１は、電力分配部５０５と、電力監視制御部５０６と、記憶部５１０と、充電池等の電源部１０９と、電源供給電力測定部１０２と、外部供給電力測定部１０３とから構成される。
【００４３】
電力分配部５０５は、電源部１０９から供給される電力である電源供給電力を、電子機器２０１内の、電力を必要とする各部へ供給するとともに、電力監視制御部５０６からの指示に従って、携帯端末等の他の電子機器（図示せず）に供給する。
【００４４】
以下では、電子機器２０１内の、電力を必要とする各部へ供給される電力の総和を総内部供給電力と言い、他の電子機器に供給される電力を外部供給電力と言う。
【００４５】
また、電源部１０９が供給できる最大電力の値である最大供給電力値は、５Ｗであるとする。
【００４６】
さらに、電力分配部５０５が他の電子機器に供給できる外部供給電力の値は、後述するように、上記総内部供給電力の値である総内部供給電力値に応じた所定の上限電力値までに制限される。
【００４７】
また、電力監視制御部５０６は、後述する所定の制御動作等を行う。
【００４８】
電源供給電力測定部１０２は、電源部１０９から供給される電力の値である電源供給電力値を測定し、制御部５０６に通知する。
【００４９】
外部供給電力測定部１０３は、上記外部供給電力の値である外部供給電力値を測定し、制御部５０６に通知する。
【００５０】
記憶部５１０は、図４に示す外部供給電力上限値設定テーブルを記憶している。
【００５１】
図４を参照すると、外部供給電力上限値設定テーブルは、「総内部供給電力値」欄と、「外部供給電力上限値」欄とから構成される。
【００５２】
「総内部供給電力値範囲情報」欄には、それぞれ異なる総内部供給電力値の範囲を示す複数の総内部供給電力値範囲情報が登録されている。
【００５３】
「外部供給電力上限値」欄には、「総内部供給電力値」欄に登録された複数の総内部供給電力値範囲情報のそれぞれと対応する外部供給電力の上限電力値が登録されている。
【００５４】
この外部供給電力の上限電力値は、電源部１０９が供給できる最大電力の値である最大供給電力値から、当該上限値と対応して「総内部供給電力値」欄に登録されている総内部供給電力値範囲情報で示される範囲の上限値を差し引いた値よりも小さい値である。
【００５５】
例えば、総内部供給電力値が１．５Ｗである場合には、図４の「総内部供給電力値範囲情報」欄に登録された複数の総内部供給電力値範囲情報が示す複数の範囲のうちの範囲「１．０Ｗ以上〜２．０Ｗ未満」内に１．５Ｗが含まれるので、当該範囲を示す総内部供給電力値範囲情報に対応して「外部供給電力上限値」欄に登録された「３．０Ｗ」が電力分配部５０５から他の電子機器に供給できる電力の上限値となる。
【００５６】
次に、本実施形態の動作について説明する。
【００５７】
図５は、電力監視制御部５０６の動作の流れを示すフローチャート図である。
【００５８】
まず、電力監視制御部５０６は、電源供給電力測定部１０２および外部供給電力測定部１０３からそれぞれ電源供給電力値および外部供給電力値を取得する（ステップＳ７０１）。
【００５９】
次に、電力監視制御部５０６は、取得した電源供給電力値から、取得した外部供給電力値を差し引き、総内部供給電力値を求める（ステップＳ７０２）。
【００６０】
今、こうして求められた総内部供給電力値が２．５Ｗであったとする。
【００６１】
電力監視制御部５０６は、外部供給電力上限値設定テーブルの「総内部供給電力値範囲情報」欄に登録された各総内部供給電力値範囲情報を参照し、ステップ７０２で求められた総内部供給電力値（２．５Ｗ）を含む範囲（「２．０Ｗ以上〜３．０Ｗ未満」）を示す総内部供給電力値範囲情報を特定し、こうして特定された総内部供給電力値範囲情報に対応して外部供給電力上限値設定テーブルの「外部供給電力上限値」欄に登録された外部供給電力の上限電力値（「２Ｗ」）を取得する（ステップＳ７０３）。
【００６２】
電力監視制御部５０６は、取得した上限電力値（「２Ｗ」）を示す上限値設定信号を制御信号線５０７を介して電力分配部５０５に送信する（ステップＳ７０４）。
【００６３】
上限値設定信号を受け取った電力分配部５０５は、外部供給電力値を、上限値設定信号が示す上限電力値（「２Ｗ」）までに制限する（ステップＳ７０５）。
【００６４】
その後、直ちにまたは所定の時間経過後に、電力監視制御部５０６は、ステップＳ７０１の処理に戻る。
【００６５】
なお、電力監視制御部５０６は、専用のハードウェアで実現されても良いし、プログラム制御で動作するマイクロプロセッサ等のコンピュータで実現されても良い。
【００６６】
以上、本実施形態には、電力を供給される他の電子機器の状態等が分からなくても、電力を供給する電子機器２０１から他の電子機器への最適な電力供給を行うことができるという効果がある。
【００６７】
その理由は、電力を供給する電子機器２０１内に供給される総内部供給電力の値に応じて、他の電子機器に供給する外部供給電力の上限値を決定するようにしたからである。
【符号の説明】
【００６８】
１０１    電子機器
１０２    電源供給電力測定部
１０３    外部供給電力測定部
１０５    電力分配部
１０６    電力監視制御部
１０７    制御信号線
１０９    電源部
２０１    電子機器
５０５    電力分配部
５０６    電力監視制御部
５０７    制御信号線
５１０    記憶部
【図１】
2015179298.tif 000003
【図２】
2015179298.tif 000004
【図３】
2015179298.tif 000005
【図４】
2015179298.tif 000006
【図５】
2015179298.tif 000007